(57)【特許請求の範囲】
【請求項１】
建物躯体に結合され、かつ建物の表面部材で覆われるベース部と、このベース部から前記表面部材に挿通されて建物外側に延設されるとともに、建物用付設物が取り付けられるアーム部とを有する建物用付設物の取付具において、前記アーム部における前記表面部材と前記建物用付設物との間にこれらの表面部材と建物用付設物に当てられて配置され、かつ前記アーム部を挿通させるために前記表面部材に形成されているアーム部挿通部を覆う大きさを有する弾性変形自在の中間部材を有していることを特徴とする建物用付設物の取付具。
【請求項２】
請求項１に記載の建物用付設物の取付具において、前記表面部材と前記中間部材と前記建物用付設物とのうち、少なくとも前記表面部材と前記中間部材とに跨ってシーリング材が塗布されることを特徴とする建物用付設物の取付具。
【請求項３】
請求項１又は２に記載の建物用付設物の取付具において、前記中間部材は防水性を有していることを特徴とする建物用付設物の取付具。
【請求項４】
請求項１〜３のいずれかに記載の建物用付設物の取付具において、前記中間部材には前記アーム部が貫通する貫通孔が形成され、この貫通孔の内側における前記アーム部との間の隙間にシーリング材が充填されることを特徴とする建物用付設物の取付具。
【請求項５】
請求項４に記載の建物用付設物の取付具において、前記アーム部は、ウェブと、このウェブの端部に設けられたフランジとを有するとともに、前記アーム部には、前記中間部材に形成されている前記貫通孔においてこれらのウェブとフランジで閉空間を形成する遮蔽部材が当てがわれ、この遮蔽部材が当てがわれた前記アーム部が前記貫通孔に挿通され、この貫通孔の内側と、前記遮蔽部材を含む前記アーム部の外側との間に生じる隙間に前記シーリング材が充填されることを特徴とする建物用付設物の取付具。
【請求項６】
建物躯体に結合され、かつ建物の表面部材で覆われるベース部と、このベース部から前記表面部材に挿通されて建物外側に延設されるとともに、建物用付設物が取り付けられるアーム部とを有する建物用付設物の取付具において、前記アーム部を挿通させるために前記表面部材に形成されているアーム部挿通部の内側に、前記アーム部との間の隙間を埋める弾性変形自在の中間部材が配置されていることを特徴とする建物用付設物の取付具。
【請求項７】
請求項１〜６のいずれかに記載の建物用付設物の取付具を用いて建物に建物用付設物が取り付けられることを特徴とする建物用付設物の取付構造。
【請求項８】
請求項７に記載の建物用付設物の取付構造において、前記建物用付設物は支柱で支持されないバルコニであることを特徴とする建物用付設物の取付構造。
【発明の詳細な説明】
【０００１】
【発明の属する技術分野】
本発明は、建物用付設物を建物に取り付けるために用いられる取付具及び建物用付設物の取付構造に係り、例えば、バルコニ、庇、集合住宅の外階段、外廊下等の建物用付設物の取り付けのために利用できるものである。
【０００２】
【背景技術】
建物用付設物であるバルコニは、取付具を介して建物に取り付けられる。図８及び図９は、支柱で支持されないタイプのバルコニを建物に取り付けるために用いられている従来技術の取付具６１を示す。
【０００３】
この従来技術は、図８に示すように、バルコニ構造材である妻梁１２の本数が２本となっているバルコニ１１を建物１に取り付ける場合であるため、取付具６１は２個使用されている。それぞれの取付具６１は、建物１の躯体、具体的には建物１の柱２にボルト６５，６６とナット６７，６８（図９参照）で結合されるベース部６２と、このベース部６２に基端部が溶接で接合され、ベース部６２から直角に一定長さ延びるアーム部６３とからなる。ベース部６２は、建物１の柱２及び桁梁３等に胴縁４（図９参照）を介して取り付けられた建物外装材５で覆われているとともに、アーム部６３は、アーム部６３を挿通させるためのアーム部挿通部となって外装材５に形成されている切欠部５Ａに挿通されて建物外側へ延びている。
【０００４】
取付具６１のベース部６２の柱２への結合作業、及び切欠部５Ａが形成されている外装材５の胴縁４への取付作業が終了した後、それぞれの取付具６１のアーム部６３にバルコニ１１の中空に形成されている妻梁１２を嵌合挿入する作業が行われ、これらの妻梁１２はそれぞれのアーム部６３に図示しないボルト、ナットで結合される。また、図９に示すとおり、それぞれの妻梁１２の先端部と、建物１の表面を形成している外装材５とに跨ってシーリング材６が塗布され、これにより建物１の表面とバルコニ１１との接続部分がシールされ、建物外装材５の切欠部５Ａから雨水等が建物１の内部に侵入するのが防止される。
【０００５】
【発明が解決しようとする課題】
以上の従来技術によると、バルコニ１１はそれ自体大きな重さを有する重量物であってこれにバルコニ１１に乗る人の重量が加わり、またバルコニ１１は支柱で支持されないタイプであるため、妻梁１２が結合された取付具６１のアーム部６３に大きな垂直荷重が作用する。このため、アーム部６３には下方への撓みが生ずることになり、この結果、妻梁１２と、建物１の表面部材となっている外装材５との間がシーリング材６でシールされていても、これらの間に隙間が生じて雨水等が建物１の内部に侵入するおそれがあった。
【０００６】
本発明の目的は、建物用付設物等の重量が作用しても雨水等の建物内部への侵入を防止できるようになる建物用付設物の取付具及び建物用付設物の取付構造を提供するところにある。
【０００７】
【課題を解決するための手段】
本発明に係る建物用付設物の取付具は、建物躯体に結合され、かつ建物の表面部材で覆われるベース部と、このベース部から前記表面部材に挿通されて建物外側に延設されるとともに、建物用付設物が取り付けられるアーム部とを有する建物用付設物の取付具において、前記アーム部における前記表面部材と前記建物用付設物との間にこれらの表面部材と建物用付設物に当てられて配置され、かつ前記アーム部を挿通させるために前記表面部材に形成されているアーム部挿通部を覆う大きさを有する弾性変形自在の中間部材を有していることを特徴とするものである。
【０００８】
この取付具によると、アーム部には建物の表面部材と建物用付設物との間において中間部材が配置され、この中間部材はこれらの表面部材と建物用付設物に当てられているとともに、建物の表面部材に形成されているアーム部挿通部を覆う大きさを有し、また、この中間部材は弾性変形自在となっているため、建物用付設物の重量等の荷重が取付具のアーム部に作用してこのアーム部に撓みが生じることがあっても、この撓みに追従して中間部材が弾性変形することにより建物の表面部材と建物用付設物の間で隙間が生ずることを防止でき、これにより建物内部への雨水等の侵入が阻止される。
【０００９】
中間部材を建物の表面部材に当てるためには、中間部材を単にこの表面部材に接触させるだけでもよく、あるいは、中間部材の建物表面側の面に両面粘着テープ又は接着剤等の固定手段を設け、この固定手段によって中間部材を建物の表面部材に固定することにより行ってもよく、あるいは、中間部材を釘、ねじ、ビス等の止着具で建物の表面に止着することにより行ってもよい。
【００１０】
また、中間部材を予め建物用付設物の建物側の端部に固定手段又は止着具で固定しておき、建物用付設物を取付具に取り付けるときに、中間部材を建物の表面部材に当てるようにしてもよい。
【００１１】
また、建物の表面部材と中間部材と建物用付設物とのうち、少なくとも建物の表面部材と中間部材とに跨ってシーリング材を塗布することが好ましい。
【００１２】
シーリング材をこのように塗布すると、少なくとも建物の表面部材と中間部材との接触部分から雨水等が浸透してこの雨水等が建物内部に侵入するのを防止できるようになる。また、シーリング材を建物の表面部材と中間部材と建物用付設物の全部に跨って塗布すると、一層シーリング材によるシール効果が向上し、建物内部への雨水等の侵入を有効に防止できる。また、シーリング材は、建物の表面部材と中間部材に跨る部分と、中間部材と建物用付設物に跨る部分とに分離した状態で塗布してもよい。
【００１３】
これらのいずれの場合においても、シーリング材を塗布するとき、中間部材はシーリング材の塗布のための下地材ともなり、シーリング材の塗布作業を有効に行える。
【００１４】
さらに、中間部材を防水性を有するものとすると、中間部材自体を雨水等が通過して建物内部に侵入するのを防止できるようになる。このように中間部材を防水性を有するものとすることは、シーリング材を建物の表面部材と中間部材とに跨って塗布する場合、及び建物の表面部材と中間部材に跨る部分と、中間部材と建物用付設物に跨る部分とに分離した状態で塗布する場合に有効となるが、シーリング材を建物の表面部材と中間部材と建物用付設物の全部に跨って塗布する場合においても中間部材を防水性を有することは、シーリング材によるシール性に不完全性が発生したときなどに有効となる。したがって、建物の表面部材と中間部材と建物用付設物の全部に跨ってシーリング材を塗布する場合においても、中間部材を防水性を有するものとしてもよい。
【００１５】
以上のように弾性変形自在となっている中間部材は任意な材料からなるものでよく、例えば、ウレタン、塩化ビニル、ブチルゴム等の軟質合成樹脂や天然ゴムで形成されたものでもよく、また、スポンジ等の多孔質の材料で形成されたものでもよく、これらの材料を複合して形成された複合部材となっているものでもよい。
【００１６】
また、用意する中間部材を一つとせず、弾性変形可能量が異なる中間部材を複数用意することにより、その中から建物用付設物の重量等に応じた適切な弾性変形量を有する一つの中間部材を選択して使用するようにしてもよい。
【００１７】
また、弾性変形可能量が同一又は異なる中間部材を複数製作し、これらの中から任意な個数の中間部材を重ねて使用してもよい。
【００１８】
さらに、小さなピース状態とした部材を複数製作し、これらの部材をアーム部の周囲に配置して建物の表面部材に形成されている前記アーム部挿通部を覆うように互いに接続状態とさせることにより、建物の表面部材と建物用付設物との間に配置される中間部材を形成するようにしてもよい。
【００１９】
さらに、取付具のアーム部に中間部材を配置するために、以上のように１個又は複数個の部材からなる中間部材にアーム部が貫通する貫通孔を設ける場合には、この貫通孔を通過して雨水等が建物内部に侵入するのを防止する。
【００２０】
このためには、中間部材に形成する貫通孔の大きさをアーム部が緊密に圧入されるものとしてもよく、あるいは、貫通孔の大きさが、この貫通孔の内側にアーム部との間で隙間が生ずるものである場合には、貫通孔の内側におけるアーム部との間の隙間にシーリング材を充填するようにしてもよい。
【００２１】
また、これらのうちの後者を採用する場合であって、アーム部が、Ｉ型鋼又はＨ型鋼、さらにはチャンネル材等のように、ウェブと、このウェブの端部に設けられたフランジとを有する材料からなり、このためアーム部の断面形状が複雑となっている場合には、アーム部に、中間部材に形成されている貫通孔においてこれらのウェブとフランジで閉空間を形成する遮蔽部材を当てがい、この遮蔽部材が当てがわれたアーム部を貫通孔に挿通し、この貫通孔の内側と、遮蔽部材を含むアーム部の外側との間に生じる隙間にシーリング材を充填するようにしてもよい。
【００２２】
これによると、アーム部がＩ型鋼、Ｈ型鋼、チャンネル材等の複雑な断面形状を有する材料からなるものであっても、アーム部の断面形状を、中間部材の貫通孔においては、遮蔽部材によって内部が閉空間となった四角形等の単純な断面形状にできるため、貫通孔の内側と、遮蔽部材を含むアーム部の外側との間に生じる隙間にシーリング材が充填する作業を容易に行えるようになる。
【００２３】
このようにアーム部に遮蔽部材を当てがう場合において、遮蔽部材を含むアーム部の外側全部に亘って貫通孔の内側との間で隙間が生ずるときは、アーム部の外側全部に亘ってシーリング材を充填する作業を行うようにし、また、遮蔽部材を含むアーム部の外側一部だけが貫通孔の内面に接触し、このためアーム部の残りの部分だけに貫通孔の内側との間で隙間が生じるときは、この残りの部分だけにシーリング材を充填してもよく、あるいは、アーム部の外側全部に亘ってシーリング材を充填するようにしてもよい。
【００２４】
アーム部を貫通させるために中間部材に形成する貫通孔は、中間部材の端部まで達する切り込み部が形成されていない無欠状のものでもよく、また、通常時は閉じているこのような切り込み部を有し、開口させたこの切り込み部からアーム部が挿入されるようになっているものでもよく、さらには、中間部材が、アーム部の周囲に配置されて互いに連結された小さなピース状の複数の部材からなる場合には、これらの部材をアーム部の周囲に配置して互いに連結したときにその内側に形成されるものでもよい。
【００２５】
また、本発明に係る建物用付設物の取付具は、建物躯体に結合され、かつ建物の表面部材で覆われるベース部と、このベース部から前記表面部材に挿通されて建物外側に延設されるとともに、建物用付設物が取り付けられるアーム部とを有する建物用付設物の取付具において、前記アーム部を挿通させるために前記表面部材に形成されているアーム部挿通部の内側に、前記アーム部との間の隙間を埋める弾性変形自在の中間部材が配置されていることを特徴とするものである。
【００２６】
この取付具によると、アーム部を挿通させるために表面部材に形成されているアーム部挿通部の内側に、アーム部との間の隙間を埋める弾性変形自在の中間部材が配置されているため、建物用付設物の重量等の荷重が取付具のアーム部に作用してこのアーム部に撓みが生じることがあっても、表面部材のアーム部挿通部に弾性圧縮状態で押し込められている中間部材がこの撓みに追従して弾性変形することにより、アーム部挿通部の内側においてアーム部との間で隙間が生ずることが防止され、これにより建物内部への雨水等の侵入が阻止される。
【００２７】
この取付具における中間部材も任意な材料からなるものでよく、例えば、ウレタン、塩化ビニル、ブチルゴム等の軟質合成樹脂や天然ゴムで形成されたものでもよく、また、スポンジ等の多孔質の材料で形成されたものでもよく、これらの材料を複合して形成された複合部材となっているものでもよい。また、中間部材は防水性を有するものでもよい。
【００２８】
以上の本発明において、前記取付具のベース部を覆う建物の表面部材は、サイディング等の建物外装材でもよく、あるいは、取付具がベース部を覆うカバー部材を備え、このカバー部材が、建物外装材と同じく建物外部に露出して建物の表面部材を形成するものとなっている場合には、このカバー部材でもよい。
【００２９】
さらに、本発明に係る建物用付設物の取付具において、ベース部が結合される建物躯体は任意であり、例えば、柱、梁、壁等でもよい。
【００３０】
また、本発明に係る取付具によって建物用付設物が付設される建物は、軸組み工法によるものでもよく、パネル工法によるものでもよく、ユニット工法によるものでもよい。
【００３１】
さらに、建物は木造建物でもよく、カーテンウォール等を使用するＳ造建物でもよく、ＲＣ造建物でもよく、ＳＲＣ造建物等でもよい。
【００３２】
本発明に係る建物用付設物の取付構造は、以上説明した取付具を使用して建物用付設物を建物に取り付けることを特徴とするものである。
【００３３】
この建物用付設物は、例えば、バルコニでもよく、シャッター装置のシャッターケースでもよく、オーニング装置の収納ケースでもよく、ロールスクリーン装置の収納ケースでもよく、庇でもよく、アンテナでもよく、看板等でもよい。さらに、建物が集合住宅である場合には、建物用付設物は、外階段でもよく、外廊下でもよい。建物用付設物がバルコニである場合において、このバルコニは支柱で支持されないタイプでもよく、支柱で支持されるタイプでもよい。
【００３４】
建物用付設物が支柱で支持されないバルコニである場合には、取付具のアーム部にこのバルコニの重量及びバルコニに乗る人の重量が作用し、アーム部の撓み量が大きくなるため、建物の表面部材と建物用付設物との間に弾性変形自在の中間部材を配置するようにした本発明の技術的特徴が特に発揮されることになる。
【００３５】
【発明の実施の形態】
以下に本発明の実施形態を図面に基づいて説明する。本実施形態は、建物用付設物が支柱で支持されないタイプのバルコニである場合であり、図１は、このバルコニ１１を示している。バルコニ１１は、図８、図９と同じ構造で建てられた建物１から延びる妻梁１２と、２本ある妻梁１２の間に架設された桁梁１３とが構造材となって形成されており、妻梁１２と桁梁１３に手摺り１４が立設されている。それぞれの妻梁１２は、建物１の躯体に結合された本実施形態に係る取付具２１を介して建物躯体に取り付けられ、妻梁１２と取付具２１との結合は、取付具２１のアーム部２３に妻梁１２をボルト１５、ナットで締結することによりなされている。また、手摺り１４のトップレール１６等は、建物１の躯体にビス等の止着具１７で止められたブラケット１８を介して建物躯体に結合されている。
【００３６】
取付具２１の全体構造は、図２で示されている。この取付具２１は、縦長で厚板状のベース部２２と、このベース部２２に基端部が溶接で接合され、ベース部２２から直角に建物外側へ一定長さ延びるアーム部２３と、貫通孔２４Ａが形成され、この貫通孔２４Ａにアーム部２３が貫通挿入されることによりアーム部２３上に配置された中間部材２４とからなる。ベース部２２は建物１の柱２にボルト２５，２６とナット２７，２８（図３参照）で結合され、アーム部２３は、建物１の表面部材となっている建物外装材５に形成された切欠部５Ａを通過して建物外側へ延びている。
【００３７】
この切欠部５Ａは、外装材５にアーム部２３を挿通させるために形成されたアーム部挿通部となっている。また、外装材５は、図３で示すように、建物１の柱２等に結合された胴縁４に取り付けられている。
【００３８】
図２に示すとおり、中間部材２４は一定厚さの板状であって、合成樹脂等の防水性を有する弾性変形自在の材料で形成され、また、外装材５の切欠部５Ａよりも大きい面積を有する。したがって、中間部材２４をアーム部２３に沿って建物１側へ移動させて外装材５に当てがったときには、中間部材２４によって切欠部５Ａは覆われることになる。
【００３９】
アーム部２３はチャンネル材からなり、したがって垂直のウェブ２３Ａと、このウェブ２３Ａの上下両端から同じ水平方向に同じ長さだけ延びるフランジ２３Ｂとからなる。
【００４０】
取付具２１を柱２に結合し、取付具２１を介してバルコニ１１を建物１に取り付ける作業を行うときには、先ず取付具２１のベース部２２を建物躯体である柱２にボルト２５，２６、ナット２７，２８で結合し、切欠部５Ａが形成されている建物外装材５を胴縁４に取り付けることによりベース部２２を外装材５で覆う。次いで、予め裏面に両面粘着テープ又は接着剤を設けた中間部材２４をアーム部２３に沿って建物１側へ移動させ、これにより中間部材２４を外装材５の表面に当てがって貼りつけ、この中間部材２４で外装材５のアーム部挿通部となっている切欠部５Ａを覆う。
【００４１】
この後、図３に示すように、中間部材２４の全外周においてシーリング材６を中間部材２４と外装材５とに跨って塗布し、これにより中間部材２４と外装材５との接触部分をシールする。このとき、中間部材２４はシーリング材６の塗布のための下地材ともなる。
【００４２】
以上の作業をバルコニ１１の構造材である妻梁１２の本数と同じ個数の取付具２１について行った後、図２で示されているバルコニ１１のそれぞれの妻梁１２を取付具２１のアーム部２３の外側に嵌合挿入し、妻梁１２の先端部を図３で示すように中間部材２４に当てる。これにより、中間部材２４は、取付具２１のアーム部２３において、建物１の表面部材となっている外装材５とバルコニ１１の構成部材である妻梁１２との間に配置されるとともに、これらの外装材５と妻梁１２とに当てられて弾性圧縮状態とされる。
【００４３】
それぞれの妻梁１２はアーム部２３に図１で示したボルト１５、ナットで結合され、これにより、バルコニ１１は取付具２１を介して建物１に取り付けられることになる。
【００４４】
なお、妻梁１２の先端部を中間部材２４に当てる前に、図３に示されているように、アーム部２３が貫通挿入されている中間部材２４の貫通孔２４Ａの内側にシーリング材６を充填し、この貫通孔２４Ａの内側におけるアーム部２３との間の隙間をシーリング材６で埋めてもよい。また、この隙間へのシーリング材６の充填作業を容易にするために、中間部材２４の貫通孔２４Ａの形状を、ウェブ２３Ａとフランジ２３Ｂとからなるアーム部２３の断面形状と適合した形状にしておいてもよい。
【００４５】
以上の実施形態によると、建物１の外装材５とバルコニ１１の妻梁１２との間には取付具２１のアーム部２３に配置された中間部材２４が介入され、この中間部材２４は外装材５と妻梁１２とに当てがわれているとともに、弾性変形自在の材料からなるため、支柱で支持されないバルコニ１１自体の重量及びこのバルコニ１１に乗る人の重量のため、取付具２１のアーム部２３がベース部２２との接合部を中心に撓み、このため妻梁１２がアーム部２３と同様に撓み変形したときには、中間部材２４はこれに追従した弾性変形を行う。このため、建物１の外装材５とバルコニ１１の妻梁１２との間に隙間が生ずることはない。そして、外装材５の切欠部５Ａは中間部材２４で覆われているため、この切欠部５Ａを通って建物１の内部に侵入するのを防止できる。
【００４６】
また、外装材５と中間部材２４とに跨ってシーリング材６が塗布されているため、これらの外装材５と中間部材２４との接触部分に雨水等が浸透するのを防止でき、この雨水等が外装材５の切欠部５Ａを通って建物１の内部に侵入するのを阻止できる。
【００４７】
また、中間部材２４はシーリング材６の塗布作業において、シーリング材６の下地材ともなり、このシーリング材塗布作業を有効に行える。
【００４８】
さらに、中間部材２４は防水性を有する材料で形成されているため、雨水等がこの中間部材２４自体を通過することはなく、このため中間部材２４自体を通過した雨水等が外装材５の切欠部５Ａを通って建物１の内部に達することはない。
【００４９】
また、中間部材２４の貫通孔２４Ａの内側におけるアーム部２３との間の隙間にシーリング材６を充填した場合には、中間部材２４とバルコニ１１の妻梁１２との接触部分の隙間が生ずることがあっても、この貫通孔２４Ａにおけるこのシーリング材６で雨水が建物１の内部に侵入するのを防止できる。
【００５０】
また、バルコニ１１自体の重量及びこのバルコニに乗る人の重量のためにアーム部２３がベース部２２との接合部を中心に撓んでも、バルコニ１１の妻梁１１と建物外装材５との間には中間部材２４が介設されているため、アーム部２３の撓みと一体になって上下に移動する妻梁１２により外装材５が擦られて損傷することや、擦れ音が発生することを防止できる。
【００５１】
図４は、取付具２１のベース部２２がカバー部材３０で覆われる実施形態を示す。すなわち、この実施形態では、ベース部２２と、アーム部２３と、中間部材２４と、カバー部材３０とで取付具２１が形成されている。このカバー部材３０には、中間部材２４と同様に、アーム部２３を貫通させる貫通孔３０Ａが形成され、この貫通孔３０Ａは、前記実施形態の建物外装材５の切欠部５Ａと同じくアーム部挿通部となっている。
【００５２】
カバー部材３０は、ベース部２２を覆った状態で釘等の止着具３１で建物１の柱２に結合され、これによりカバー部材３０は、このカバー部材３０の配置位置を除いて胴縁４に結合されている建物外装材５の表面と対応する建物内外方向の位置に配置される。このため、カバー部材３０は建物外部に露出し、外装材５と共に建物１の表面部材を形成するものとなっている。
【００５３】
この実施形態では、中間部材２４はカバー部材３０とバルコニ１１の妻梁１２との間においてこれらのカバー部材３０と妻梁１２とに接触した状態で配置され、また、中間部材２４の全周においてシーリング材６がカバー部材３０と中間部材２４とに跨って塗布され、中間部材２４の貫通孔２４の内側におけるアーム部２３との間の隙間にもシーリング材６が充填されている。
【００５４】
この実施形態は、中間部材２４が当てがわれる建物１の表面部材が前記実施形態では建物外装材５であったのに対し、取付具２１のベース部２２を覆うカバー部材３０となったものであり、この実施形態でも前記実施形態と同じ作用効果を得られる。
【００５５】
図５は、取付具２１のチャンネル材からなるアーム部２３に遮蔽部材４０を当てがった実施形態を示す。この遮蔽部材４０は、ベース部２２との接合部であるアーム部２３の基端部において、ベース部２３の上下のフランジ２３Ｂの間に架設され、また、遮蔽部材４０は、中間部材２４が建物１の表面部材である外装材５に当てられたときに、中間部材２４の貫通孔２４Ａから突出するアーム部２３の長さ方向の幅寸法を有する。
【００５６】
図６は、中間部材２４を外装材５に当てた場合であって、中間部材２４の貫通孔２４Ａにおける遮蔽部材４０を含むアーム部２３の縦断面形状を示す図である。アーム部２３は、ウェブ２３Ａと、このウェブ２３Ａの上下両端から同じ水平方向に同じ長さだけ延びているフランジ２３Ｂとからなる複雑な断面形状を有しているが、遮蔽部材４０が上下のフランジ２３Ｂの間に架設されることにより、中間部材２４の貫通孔２４Ａにおける遮蔽部材４０を含むアーム部２３の断面形状は、図６で示されているとおり、内部が閉空間２３Ｃとなった単純な縦長の四角形となる。
【００５７】
この実施形態によると、中間部材２４の貫通孔２４Ａを縦長の四角形にしても、言い換えると、ウェブ２３Ａと２個のフランジ２３Ｂとで断面形状が複雑になっているアーム部２３のその断面形状に合わせた形状に中間部材２４の貫通孔を形成するのではなく、貫通孔の形成加工作業を簡単化できるように、貫通孔２４Ａを縦長の四角形にしても、中間部材２４の貫通孔２４Ａの内側と、遮蔽部材４０を含むアーム部２３の外側との間にできる隙間Ｓを一定幅が連続したものにできる。
【００５８】
このため、この隙間Ｓへのシーリング材６の充填作業を容易に行えるようになる。
【００５９】
図５、図６の実施形態のように、ウェブ２３Ａとフランジ２３Ｂとで閉空間２３Ｃを形成する遮蔽部材４０をアーム部２３に当てがうことは、図４の実施形態のように、中間部材２４が当てられる建物１の表面部材が取付具２１のベース部２２を覆うためのカバー部材３０となっている場合にも実施できる。
【００６０】
図７の実施形態で示す取付具２１では、建物の外装材５にアーム部挿通部として形成されている切欠部５Ａの内側に弾性変形自在の中間部材４４が弾性圧縮状態で押し込められている。これにより、切欠部５Ａの内側でのアーム部２３との間の隙間は中間部材４４で埋められている。
【００６１】
このため、この実施形態では、支柱で支持されないバルコニ１１自体の重量及びこのバルコニ１１に乗る人の重量のため、取付具２１のアーム部２３がベース部２２との接合部を中心に撓んだときには、中間部材４４は切欠部５Ａの内部でこれに追従した弾性変形を行う。このため、この切欠部５Ａを通って雨水等が建物１の内部に侵入するのを防止できる。
【００６２】
この図７の実施形態は、図４の実施形態と同じく、建物の表面部材が取付具のカバー部材になっている場合にも適用できる。
【００６３】
【発明の効果】
本発明によると、建物用付設物等の重量が作用しても雨水等の建物内部への侵入を防止できるという効果を得られる。
【図面の簡単な説明】
【図１】本発明の一実施形態に係る建物用付設物であるバルコニを示す建物の縦断面図である。
【図２】図１で示された取付具によってバルコニを建物に取り付ける作業の途中を示す斜視図である。
【図３】図１、図２の取付具によるバルコニ取付作業終了後の取付構造を示す縦断面図である。
【図４】建物の表面部材が取付具のカバー部材になっている実施形態を示す図３と同様の図である。
【図５】取付具のアーム部に遮蔽部材が当てがわれた実施形態を示す図２と同様の図である。
【図６】図５の実施形態において、中間部材の貫通孔における遮蔽部材を含めたアーム部の断面形状を示す図である。
【図７】建物の表面部材である外装材のアーム部挿通部になっている切欠部に中間部材を押し込んで配置した実施形態を示す図３と同様の図である。
【図８】従来の取付具によってバルコニを建物に取り付ける作業の途中を示す斜視図である。
【図９】図８の取付具によるバルコニ取付作業終了後の取付構造を示す縦断面図である。
【符号の説明】
１  建物
２  建物躯体である柱
５  建物の表面部材である建物外装材
５Ａ  アーム部挿通部である切欠部
６  シーリング材
１１  建物用付設物であるバルコニ
１２  バルコニの妻梁
２１  取付具
２２  ベース部
２３  アーム部
２３Ａ  ウェブ
２３Ｂ  フランジ
２３Ｃ  閉空間
２４，４４  中間部材
２４Ａ  貫通孔
３０  建物の表面部材であるカバー部材
３０Ａ  アーム部挿通部である貫通孔
４０  遮蔽部材
【図１】
0004307694.tif 000002
【図２】
0004307694.tif 000003
【図３】
0004307694.tif 000004
【図４】
0004307694.tif 000005
【図５】
0004307694.tif 000006
【図６】
0004307694.tif 000007
【図７】
0004307694.tif 000008
【図８】
0004307694.tif 000009
【図９】
0004307694.tif 000010